(57)【要約】【課題】中栓を保持治具に固定して上蓋をセットしても、中栓が損傷しないようにする。【解決手段】キャップ本体に、容器口部に嵌着される嵌合部５と、上蓋３０が螺着されるねじ筒３とを設けた中栓２であって、前記嵌合部５の側壁１１下端面１１ｃに、保持治具２０の凹部２１と係合する凸部１７を形成する。【選択図】  図２
2006264771.tif 000002
【特許請求の範囲】
【請求項１】
キャップ本体に、容器口部に嵌着される嵌合部と、上蓋が螺着されるねじ筒部とを設けた中栓であって、
前記嵌合部の側壁下端面に、保持治具の係止部と係合する係合部を形成したことを特徴とする中栓。
【請求項２】
前記嵌合部は、側壁と、該側壁の内側に配設された内壁と、前記両壁を連結する頂壁と、から構成され、
前記内壁の内側に、保持治具の内側突起部に当接する補強壁を設け、前記内壁と補強壁との間に補強部材を介在せしめたことを特徴とする請求項１記載の中栓。
【請求項３】
前記係合部は、凹部又は凸部であることを特徴とする請求項１、又は、２記載の中栓。
【請求項４】
前記側壁下端部の外周面に、滑り止めが設けられていることを特徴とする請求項１、２、又は、３記載の中栓。
【発明の詳細な説明】
【技術分野】
【０００１】
この発明は、容器口部に装着されるキャップの中栓に関するもので、更に述べると、上蓋装着の際に、保持治具により固定される中栓に関するものである。
【背景技術】
【０００２】
スクリュー式キャップは、嵌合部とねじ筒を有する中栓と、該中栓に螺着される上蓋とを備えている。該スクリュー式キャップは、上蓋を中栓に螺合装着した状態で内容液が充填された容器の口部に装着されることが従来からおこなわれており、上蓋の中栓への螺合装着にあたっては、嵌合部の外壁を保持治具で挟持固定し、該中栓を回転不能に固定した上で上蓋を螺合させている。
【０００３】
しかし、上蓋のスカートが中栓の側壁の大部分を覆うキャップの場合には、側壁の挟持部分の面積が極端に小さくなるので、前記保持治具により回転不可能に挟持することが困難である。
【０００４】
そこで、上記問題を解決するため、ねじ筒と注出筒との間に環状空間を形成するとともに該環状空間にリブを設け、該環状空間を保持治具の突起に嵌め込み、中栓を回転不能に保持している（例えば、特許文献１，２参照）。
【０００５】
【特許文献１】特開２０００−０８５８１８
【特許文献２】特開２００１−１７１７０５
【発明の開示】
【発明が解決しようとする課題】
【０００６】
従来例では、中栓位置決めの際、保持治具が内壁を傷つけたり変形させたりして、該中栓が設計通りの状態を維持できないことがある。そのため、このキャップを容器口部に打栓装着すると、容器口部に密着している内壁から液漏れ等が発生することがある。
【０００７】
この発明は、上記事情に鑑み、中栓を保持治具に固定して上蓋をセットしても、中栓が損傷しないようにすることを目的とする。
【課題を解決するための手段】
【０００８】
この発明は、キャップ本体に、容器口部に嵌着される嵌合部と、上蓋が螺着されるねじ筒部とを設けた中栓であって、前記嵌合部の側壁下端面に、保持治具の係止部と係合する係合部を形成したことを特徴とする。
【０００９】
この発明の嵌合部は、側壁と、該側壁の内側に配設された内壁と、前記両壁を連結する頂壁と、から構成され、前記内壁の内側に、保持治具の内側突起部に当接する補強壁を設け、前記内壁と補強壁との間に補強部材を介在せしめたことを特徴とする。この発明の係合部は、凹部又は凸部であることを特徴とする。この発明の側壁下端部外周面に、滑り止めが設けられていることを特徴とする。
【発明の効果】
【００１０】
この発明は、中栓の嵌合部の側壁下端面に、保持治具の係止部と係合する係合部を形成したので、前記中栓を保持治具で固定しても、中栓が損傷するのを防止することができる。
【発明を実施するための最良の形態】
【００１１】
この発明の第１実施の形態を図１〜図３により説明する。
スクリュー式キャップは、合成樹脂により射出成型された中栓２と上蓋３０とを備えている。中栓２のキャップ本体１には、ねじ筒３と嵌合部５が設けられている。
【００１２】
ねじ筒３の内側には、注出筒６が設けられ、該注出筒６の下端部は、裂き溝７が形成された遮断壁９により閉鎖されている。前記裂き溝７の内側には、プルリング１０が設けられている。
【００１３】
嵌合部５は側壁１１と内壁１２とを備え、前記両壁１１、１２は頂壁１３を介して連結されている。前記内壁１２は、前記ねじ筒３の延長線上に位置している。
【００１４】
側壁１１は小径上段部１１ａと、該上段部１１ａに連続する大径下段部１１ｂとからなり、その内面には、容器口部の環状係止部に係合する環状突起１６が形成されている。側壁下端面１１ｃには、保持治具２０の係止部２１に係合する係合部１７が形成されている。前記係合部１７として、例えば、凸部が採用されるが、この凸部の大きさや個数等は必要に応じて適宜選択される。
【００１５】
保持治具２０は、先端部が円筒状に形成され、その上端面２０ａには前記側壁１１の外面に当接する環状外壁２３と、該環状外壁２３の内側に設けられ、前記係合部１７に係止する係止部２１が設けられている。前記係止部２１として、例えば、前記凸部１７に嵌合する凹部２１が採用されるが、この凹部２１の大きさや個数等は必要に応じて適宜選択される。
【００１６】
上蓋３０は、天壁３１と、該天壁３１に連続するスカート３３とを備えている。前記天壁３１の内面には、前記注出筒６と当接するシールリング３５が設けられている。スカート３３の内面には、前記ねじ筒３に螺合するねじ部３６が設けられている。
【００１７】
次に本実施の形態の作動について説明する。
中栓２の側壁１１の下端面１１ｃと保持治具２０の上端面２０ａとを対向させ、両者１１，１２を当接させ、保持治具２０の環状外壁２３に側壁１１の大径下段部１１ｂを嵌合させ、側壁１１の外周面を前記環状外壁２３の内周面に当接させる。この時、側壁１１の凸部１７と治具２０の凹部２１に嵌合していない場合には、中栓２又は治具２０のいずれか一方を回し、前記凸部１７と前記凹部２１を嵌合させる。これにより中栓２は、回動不能に保持治具２０に固定される。
【００１８】
次に、上蓋３０を中栓２に被せ閉蓋方向に回転させると、ねじ部３６がねじ筒３に螺着され、スカート３３の下端面３３ａは大径下段部１１ｂの段面に当接し、キャップのセットは完了する。その後、保持治具２０を中栓２から外す。
【００１９】
この発明の第２実施の形態を図５〜図７により説明するが、図１〜図４と同一図面符号はその名称も機能も同一である。
この実施の形態と第１実施の形態との相違は、次の通りである。
(1)側壁１１の係合部として、凸部の代わりに、凹部４４が設けられていること。
【００２０】
(2)内壁１２の内側に、補強壁４０を設け、該補強壁４０と内壁１２との間に補強部材４２を配設すること。
(3)保持治具２０には、凹部の代わりに、前記凹部４４に嵌合する凸部４５が設けられていること。
(4)保持治具２０には、補強壁４０に当接する環状内壁４７が設けられていること。
【００２１】
この実施例では、中栓２を治具２０にセットすると、前記凹部４４は、前記凸部４５に嵌合し、補強壁４０は環状内壁４７の内面に当接する。この時、環状内壁４７は補強壁４０に圧接するが、補強部材４２が設けられているので、内筒１２が押圧されることはない。なお、補強部材４２を省略することも可能である。
【００２２】
この発明の第３実施の形態を図８により説明する。
この実施の形態と前記第１、第２実施の形態との相違点は、側壁１１の下端部周面に、滑り止め５０を設けたことである。この滑り止め５０として、例えば、凹凸部が採用される。この滑り止め５０により、中栓２と保持治具２０との固定は、より強固なものとなる。
【図面の簡単な説明】
【００２３】
【図１】本発明の第１実施例を示す図で、上蓋の一部断面図である。
【図２】本発明の第１実施例を示す図で、保持治具に固定された中栓の縦断面図である。
【図３】中栓の底面図の一部を示す図である。
【図４】保持治具の平面図の一部を示す図である。
【図５】本発明の第２実施例を示す図で、保持治具に固定された中栓の縦断面図である。
【図６】中栓の底面図の一部を示す図である。
【図７】保持治具の平面図の一部を示す図である。
【図８】本件発明の第３実施例を示す図で、中栓の底面図の一部を示す図である。
【符号の説明】
【００２４】
１      キャップ本体
２      中栓
３      ねじ筒
５      嵌合部
１１    側壁
１２    内壁
１７    係合部
２０    保持治具
２１    係止部
２３    環状外壁
【図１】
2006264771.tif 000003
【図２】
2006264771.tif 000004
【図３】
2006264771.tif 000005
【図４】
2006264771.tif 000006
【図５】
2006264771.tif 000007
【図６】
2006264771.tif 000008
【図７】
2006264771.tif 000009
【図８】
2006264771.tif 000010